(57)【特許請求の範囲】
【請求項１】
上下方向に沿って相手側コネクタと嵌合可能なコネクタであって、ハウジングと、複数のコンタクトと、シール部材とを備えており、
前記ハウジングは、前記上下方向における上面と、前記上面から下方に凹んだ収容部とを有しており、
前記コンタクトは、前記収容部に部分的に収容されるようにして、前記ハウジングに保持されており、
前記シール部材は、前記ハウジングの上面上に位置する当接部と、前記収容部内に保持されるようにして前記当接部から前記収容部内に延びる被収容部とを有している
コネクタ。
【請求項２】
請求項１記載のコネクタであって、
前記コンタクトは、前記コネクタと前記相手側コネクタとが互いに嵌合した嵌合状態において前記相手側コネクタの相手側コンタクトと接触する接点部を有しており、
前記被収容部は、前記コンタクトの前記接点部を前記収容部内に露出させるようにして前記コンタクトの夫々を覆っている
コネクタ。
【請求項３】
請求項１又は請求項２記載のコネクタであって、
前記ハウジングは、前記上面の下方に位置する底面を有しており、
前記収容部は、前記底面まで達しており、
前記コンタクトは、前記ハウジングの前記底面側から前記収容部に圧入されている
コネクタ。
【請求項４】
請求項３記載のコネクタであって、
前記コネクタを前記底面側から見た場合に、前記被収容部は、前記コンタクトのうち前記収容部内に位置する部位を隠すようにして設けられている
コネクタ。
【請求項５】
請求項３又は請求項４記載のコネクタであって、
前記コネクタを前記底面側から見た場合に、前記被収容部は、前記収容部を隠すようにして設けられている
コネクタ。
【請求項６】
請求項３又は請求項４記載のコネクタであって、
前記被収容部は、前記収容部が前記上下方向に沿って前記底部の下方と部分的に連通するようにして設けられている
コネクタ。
【請求項７】
請求項３乃至請求項６のいずれかに記載のコネクタであって、
前記コネクタは、基板の前記上下方向における上面に搭載可能であり、
前記コネクタが前記基板の前記上面に搭載された際、前記シール部材の前記被収容部が、前記コネクタと前記基板との間を塞ぐ
コネクタ。
【請求項８】
請求項１又は請求項２記載のコネクタであって、
前記コンタクトは、前記ハウジングの前記上面側から前記収容部に圧入されている
コネクタ。
【請求項９】
請求項１乃至請求項８のいずれかに記載のコネクタであって、
前記相手側コネクタは、相手側基板の前記上下方向における下面に搭載されており、
前記コネクタと前記相手側コネクタとを嵌合した際、前記シール部材の前記当接部が、前記コネクタと前記相手側基板との間を塞ぐ
コネクタ。
【発明の詳細な説明】
【技術分野】
【０００１】
本発明は、コンタクトの接点部と相手側コンタクトの接点部との接触部分を防水保護するコネクタに関する。
【背景技術】
【０００２】
このタイプのコネクタは、例えば特許文献１及び特許文献２に開示されている。
【０００３】
図１９に示されるように、特許文献１に開示されたコネクタソケット（コネクタ）は、コネクタソケットハウジング（ハウジング）と、ハウジングの内部に保持された複数の接触子（コンタクト）と、シール材（シール部材）とを備えている。シール部材は、ハウジングの上面及び外周面を覆うようにして、ハウジングに保持されている。相手側コネクタ（図示せず）がコネクタの上方から上下方向（嵌合方向）に沿って嵌合されたとき、コネクタと相手側コネクタとの嵌合部がシール部材によってシールされ、これによりコンタクトの接点部と相手側コンタクト（図示せず）の接点部との接触部分が防水保護される。
【０００４】
図２０から理解されるように、特許文献２に開示された雌コネクタ（コネクタ）は、雄コネクタ（相手側コネクタ）と嵌合可能である。コネクタは、ハウジングと、ハウジングの内部に保持された複数の雌端子（コンタクト）とを備えており、相手側コネクタは、ハウジング（相手側ハウジング）と、相手側ハウジングの内部に保持された複数の雄端子（相手側コンタクト）とを備えている。ハウジング及び相手側ハウジングの内部には、絶縁性樹脂（シール部材）が夫々充填されている。コネクタと相手側コネクタとが互いに嵌合すると、コネクタと相手側コネクタとの嵌合部が双方のシール部材によってシールされ、これによりコンタクトの接点部と相手側コンタクトの接点部との接触部分が防水保護される。
【先行技術文献】
【特許文献】
【０００５】
【特許文献１】特開２０１１−１４６２８６号公報
【特許文献２】特開２０００−２９９１６０号公報
【発明の概要】
【発明が解決しようとする課題】
【０００６】
特許文献１のシール部材は、ハウジングの外周面に形成された環状凹溝に嵌合しており、これによりハウジングに保持されている。換言すれば、シール部材をハウジングに保持させるためには、シール部材をハウジングの外周面に張り出す必要がある。このため、コネクタのサイズ（特に、嵌合方向と直交する平面におけるサイズ）が大きくなる。
【０００７】
特許文献２によれば、コンタクトと相手側コンタクトとを防水保護するためには、コネクタ及び相手側コネクタの双方にシール部材を設ける必要がある。このため、部品点数及び製造工数が増加し、これにより製造コストが増大する。
【０００８】
本発明は、嵌合面におけるサイズを大きくすることなくシール部材を備えたコネクタであって、相手側コネクタがシール部材を備えていない場合でもコンタクトの接点部と相手側コンタクトの接点部との接触部分を防水保護できるコネクタを提供することを目的とする。
【課題を解決するための手段】
【０００９】
本発明は、第１のコネクタとして、
上下方向に沿って相手側コネクタと嵌合可能なコネクタであって、ハウジングと、複数のコンタクトと、シール部材とを備えており、
前記ハウジングは、前記上下方向における上面と、前記上面から下方に凹んだ収容部とを有しており、
前記コンタクトは、前記収容部に部分的に収容されるようにして、前記ハウジングに保持されており、
前記シール部材は、前記ハウジングの上面上に位置する当接部と、前記収容部内に保持されるようにして前記当接部から前記収容部内に延びる被収容部とを有している
コネクタを提供する。
【００１０】
また、本発明は、第２のコネクタとして、第１のコネクタであって、
前記コンタクトは、前記コネクタと前記相手側コネクタとが互いに嵌合した嵌合状態において前記相手側コネクタの相手側コンタクトと接触する接点部を有しており、
前記被収容部は、前記コンタクトの前記接点部を前記収容部内に露出させるようにして前記コンタクトの夫々を覆っている
コネクタを提供する。
【００１１】
また、本発明は、第３のコネクタとして、第１又は第２のコネクタであって、
前記ハウジングは、前記上面の下方に位置する底面を有しており、
前記収容部は、前記底面まで達しており、
前記コンタクトは、前記ハウジングの前記底面側から前記収容部に圧入されている
コネクタを提供する。
【００１２】
また、本発明は、第４のコネクタとして、第３のコネクタであって、
前記コネクタを前記底面側から見た場合に、前記被収容部は、前記コンタクトのうち前記収容部内に位置する部位を隠すようにして設けられている
コネクタを提供する。
【００１３】
また、本発明は、第５のコネクタとして、第３又は第４のコネクタであって、
前記コネクタを前記底面側から見た場合に、前記被収容部は、前記収容部を隠すようにして設けられている
コネクタを提供する。
【００１４】
また、本発明は、第６のコネクタとして、第３又は第４のコネクタであって、
前記被収容部は、前記収容部が前記上下方向に沿って前記底部の下方と部分的に連通するようにして設けられている
コネクタを提供する。
【００１５】
また、本発明は、第７のコネクタとして、第３乃至第６のコネクタのいずれかであって、
前記コネクタは、基板の前記上下方向における上面に搭載可能であり、
前記コネクタが前記基板の前記上面に搭載された際、前記シール部材の前記被収容部が、前記コネクタと前記基板との間を塞ぐ
コネクタを提供する。
【００１６】
また、本発明は、第８のコネクタとして、第１又は第２のコネクタであって、
前記コンタクトは、前記ハウジングの前記上面側から前記収容部に圧入されている
コネクタを提供する。
【００１７】
また、本発明は、第９のコネクタとして、第１乃至第８のコネクタのいずれかであって、
前記相手側コネクタは、前記上下方向における相手側基板の下面に搭載されており、
前記コネクタと前記相手側コネクタとを嵌合した際、前記シール部材の前記当接部が、前記コネクタと前記相手側基板との間を塞ぐ
コネクタを提供する。
【発明の効果】
【００１８】
本発明によれば、シール部材は、ハウジングの上面上に位置する当接部と、当接部からハウジングの収容部内に延びる被収容部とから構成することができる。このため、嵌合方向と直交する平面におけるコネクタのサイズを大きくすることなくシール部材を備えることができる。
【００１９】
また、本発明によれば、シール部材の当接部はハウジングの上面上に位置している。このため、相手側コネクタがシール部材を備えていない場合でも、当接部を相手側コネクタの一部又は相手側コネクタを支持する支持部材に密着させることにより、コンタクトの接点部と相手側コンタクトの接点部との接触部分を防水保護することができる。
【図面の簡単な説明】
【００２０】
【図１】本発明の実施の形態によるコネクタを示す斜視図である。
【図２】図１のコネクタを示す上面図である。
【図３】図１のコネクタを示す底面図である。
【図４】図１のコネクタを示す側面図である。
【図５】図２のコネクタをＶ−Ｖ線に沿って示す断面図である。
【図６】図１のコネクタのハウジングを示す斜視図である。
【図７】図６のハウジングを示す上面図である。
【図８】図６のハウジングを示す底面図である。
【図９】図７のコネクタをＩＸ−ＩＸ線に沿って示す断面図である。
【図１０】図１のコネクタのコンタクトを示す斜視図である。
【図１１】図１のコネクタの補強部材を示す斜視図である。
【図１２】図６のハウジングを、コンタクト及び補強部材が取り付けられた状態で示す斜視図である。
【図１３】図１２のハウジングを示す上面図である。
【図１４】図１２のハウジングを示す底面図である。
【図１５】図１３のハウジングをＸＶ−ＸＶ線に沿って示す断面図である。
【図１６】図１のコネクタと嵌合可能な相手側コネクタを示す斜視図である。
【図１７】図１のコネクタ及び図１６の相手側コネクタの嵌合状態を示す斜視図である。
【図１８】図１７のコネクタ及び相手側コネクタをＸＶＩＩＩ−ＸＶＩＩＩ線に沿って示す断面図である。
【図１９】従来のコネクタの一例を示す断面図である。
【図２０】従来のコネクタ及び相手側コネクタの他の一例を示す断面図である。
【発明を実施するための形態】
【００２１】
図１及び図１６乃至図１８から理解されるように、本発明の実施の形態によるコネクタ１０はレセプタクルコネクタであり、相手側コネクタ９０はプラグコネクタである。コネクタ１０は、基板８０のＺ方向（上下方向）における上面８０Ｕに搭載可能であり、相手側コネクタ９０は、相手側基板９８０のＺ方向における下面９８０Ｌに搭載可能である（図１８参照）。基板８０に搭載されたコネクタ１０は、相手側基板９８０に搭載された相手側コネクタ９０と、Ｚ方向に沿って嵌合可能である。換言すれば、本実施形態におけるコネクタ１０と相手側コネクタ９０との嵌合方向はＺ方向である。
【００２２】
図１６に示されるように、相手側コネクタ９０は、絶縁体からなる相手側ハウジング９１０と、導電体からなる複数の相手側コンタクト９２０とを備えている。相手側ハウジング９１０は、下方に（即ち、Ｚ方向に）凹んだ凹部９１２と、Ｚ方向と直交する平面において凹部９１２を取り囲む凸部９１４とを有しており、これにより矩形の箱形状を有している。
【００２３】
図１６及び図１８から理解されるように、相手側コンタクト９２０は、インサート成型により相手側ハウジング９１０に組み込まれ、相手側ハウジング９１０に保持されている。詳しくは、相手側コンタクト９２０の夫々は、ＳＭＴ部９２２と、第１接点部（接点部）９２４と、第２接点部（接点部）９２６とを有している。ＳＭＴ部９２２は、相手側ハウジング９１０の外側に向かってＸ方向に延びている。第１接点部９２４は凹部９１２内に露出しており、第２接点部９２６は、凸部９１４の外面側に露出している。ＳＭＴ部９２２は、相手側コネクタ９０が相手側基板９８０に搭載された際、相手側基板９８０の下面９８０Ｌに形成された導電パターン（図示せず）に、例えば半田付けにより接続され、これにより相手側コネクタ９０は相手側基板９８０に固定される。第１接点部９２４及び第２接点部９２６は、コネクタ１０と相手側コネクタ９０とが互いに嵌合した嵌合状態において、コネクタ１０と電気的に接続される。
【００２４】
図１乃至図５に示されるように、コネクタ１０は、絶縁体からなるハウジング２００と、導電体からなる複数のコンタクト３００と、弾性体からなるシール部材４００と、金属製の２つの補強部材５００とを有している。コネクタ１０は、Ｚ方向における両端に、上端１０Ｕ及び下端１０Ｌを夫々有している。
【００２５】
図６、図８及び図９に示されるように、ハウジング２００は、Ｚ方向における両端に、上面（嵌合面）２００Ｕ及び下面（底面）２００Ｌを夫々有している。上面２００Ｕは、ハウジング２００の＋Ｚ側に形成された端面である。上面２００ＵのＹ方向（長手方向）における中間部分は、Ｙ方向における両端部分よりも低い位置にある。底面２００Ｌは、ハウジング２００の−Ｚ側に形成された端面である。即ち、底面２００Ｌは、上面２００Ｕの下方に位置している。
【００２６】
ハウジング２００の一部は、上面２００Ｕから下方に凹んでおり、これによりハウジング２００には収容部２１０が形成されている。本実施の形態による収容部２１０は、嵌合方向と直交するＸＹ平面において枠形状を有しており、Ｚ方向において底面２００Ｌまで達している。収容部２１０は、固定部２３２と受容部２５２と溝部２６０とを有している。固定部２３２，受容部２５２及び溝部２６０は、コンタクト３００の一部を部分的に収容している。
【００２７】
図６乃至図９に示されるように、ハウジング２００は、外壁部２２０と、突出部２５０とを更に有している。外壁部２２０は、ハウジング２００の外周部分を構成しており、ＸＹ平面において収容部２１０を取り囲んでいる。上面２００Ｕは、外壁部２２０の上端（即ち、＋Ｚ側の端）に形成されている。突出部２５０は、ＸＹ平面において収容部２１０の内側に形成されている。換言すれば、外壁部２２０及び突出部２５０は、ＸＹ平面において収容部２１０を挟むようにして位置している。
【００２８】
外壁部２２０は、Ｙ方向に長く延びる２つの長壁２３０と、Ｘ方向（幅方向）に短く延びる２つの短壁２４０とから構成されている。長壁２３０の夫々は、短壁２４０のＸ方向における対応する端部を連結しており、これにより外壁部２２０は、ＸＹ平面において枠形状を有している。長壁２３０のうち突出部２５０に面する側には、複数の固定部２３２が形成されている。本実施の形態による固定部２３２は、Ｘ方向においてハウジング２００の外部に向かって凹んだ凹みである。固定部２３２は、Ｚ方向においてハウジング２００を貫通している。
【００２９】
突出部２５０は、Ｚ方向に突出すると共にＹ方向に長く延びている。突出部２５０は、底面２００Ｌにおいて外壁部２２０と連結されている。突出部２５０のうち長壁２３０に面する側には、固定部２３２と夫々対応するようにして、複数の受容部２５２が形成されている。本実施の形態による受容部２５２は、突出部２５０の下部に形成された凹みである。詳しくは、受容部２５２は、Ｘ方向において突出部２５０の内部に向かって凹んでおり、Ｚ方向においてハウジング２００の底面２００Ｌを貫通している。
【００３０】
図７乃至図９に示されるように、ハウジング２００の底面２００Ｌには、複数の溝部２６０が形成されている。溝部２６０は、収容部２１０の下端部（即ち、−Ｚ側の端部）を構成している。溝部２６０の夫々は、固定部２３２の下端部及び受容部２５２の下端部とＸ方向に連通している。溝部２６０は底面２００ＬをＺ方向に貫通しており、これにより収容部２１０は、Ｚ方向に沿って底面２００Ｌの下方と部分的に連通している。
【００３１】
図１０及び図１５に示されるように、本実施の形態によるコンタクト３００は、１枚の金属板を折り曲げて形成されている。詳しくは、コンタクト３００は、ＳＭＴ部３１０と、被固定部３２０と、バネ部３３０と、第１接点部（接点部）３４０と、第２接点部（接点部）３５０とを有している。第１接点部３４０及び第２接点部３５０は、相手側コンタクト９２０の第１接点部９２４及び第２接点部９２６と夫々接触するように構成されている（図１８参照）。コンタクト３００は、ハウジング２００の底面２００Ｌ側から収容部２１０に圧入されている（図１５参照）。より具体的には、被固定部３２０が固定部２３２の圧入溝に圧入されており、これによりコンタクト３００は、収容部２１０に部分的に収容されるようにして、ハウジング２００に保持されている。
【００３２】
図１５及び図１８に示されるように、ＳＭＴ部３１０は、長壁２３０の下方をＸ方向に通過してハウジング２００のＸ方向における外側に延びている。ＳＭＴ部３１０は、コネクタ１０が基板８０に搭載された際、基板８０の上面８０Ｕに形成された導電パターン（図示せず）に例えば半田付けにより接続され、これによりコネクタ１０は基板８０に固定される（図１８参照）。
【００３３】
被固定部３２０は、収容部２１０の内部をＺ方向に延びている。バネ部３３０は、被固定部３２０の上端部（即ち、＋Ｚ側の端部）から下方に延びた後、収容部２１０の溝部２６０を通過して受容部２５２まで延び、受容部２５２の内部を上方に延びている。コンタクト３００は、バネ部３３０から更に上方に延びた後、下方に折り曲げられており、これによりコンタクト３００には、収容部２１０の内部に突出した（即ち、露出した）第１接点部３４０及び第２接点部３５０が形成されている。第１接点部３４０は、バネ部３３０によって主としてＸ方向に弾性変形可能に支持されている。第１接点部３４０及び第２接点部３５０は、コネクタ１０と相手側コネクタ９０との嵌合状態において、相手側コネクタ９０の相手側コンタクト９２０の第１接点部９２４及び第２接点部９２６と夫々接触し、これによりコネクタ１０と相手側コネクタ９０とが電気的に接続される（図１８参照）。
【００３４】
図１３及び図１４に示されるように、コンタクト３００がハウジング２００に取り付けられると、溝部２６０の大部分は、バネ部３３０によって塞がれる。但し、ハウジング２００の底面２００Ｌ側から見た場合に、溝部２６０の一部を通して収容部２１０を視認することができる。換言すれば、本実施の形態によれば、コンタクト３００がハウジング２００に取り付けられた後も、収容部２１０は、Ｚ方向に沿って底面２００Ｌの下方と部分的に連通している。
【００３５】
図１１及び図１２に示されるように、本実施の形態による補強部材５００は、１枚の金属板を折り曲げて形成されている。詳しくは、補強部材５００は、主部５１０と、主部５１０の両端に夫々形成された２つの被保持部５２０とを有している。主部５１０は、平板形状を有しており、被保持部５２０は、主部５１０と直交する平面内を延びる平板形状を有している。補強部材５００は、短壁２４０の外面を夫々覆うようにしてハウジング２００に取り付けられている。詳しくは、補強部材５００の被保持部５２０は、短壁２４０の外面に形成された凹部に圧入されており、これにより補強部材５００はハウジング２００に保持されている。ハウジング２００に保持された補強部材５００の主部５１０は、短壁２４０のＹ方向における外面を覆っている。補強部材５００の下端部は、コネクタ１０が基板８０（図１８参照）に搭載された際、基板８０の上面８０Ｕに例えば半田付けにより固定され、これによりコネクタ１０が補強される。
【００３６】
図１及び図５から理解されるように、本実施の形態によるシール部材４００は、ハウジング２００の上面２００Ｕから注入したゾル状又は液状の絶縁性樹脂（例えば、シリコン樹脂やウレタン樹脂）を固化させることによって形成されている。このようなシール部材４００は、例えば、下記のようにして形成することができる。まず、コンタクト３００及び補強部材５００を装着したハウジング２００（図１２参照）と、相手側コネクタ９０（図１６参照）と同様な形状及びサイズを有するダミー部材とを仮に嵌合させる（図１７参照）。次に、ハウジング２００とダミー部材との間の隙間に絶縁性樹脂を注入し、ハウジング２００の所定の部位を絶縁性樹脂で覆う。絶縁性樹脂が固化した後に、ダミー部材を取り除く。
【００３７】
図１乃至図５に示されるように、上述のように形成されたシール部材４００は、当接部４１０（相手側と当たり合って接する部分）と、被収容部４２０とを有している。当接部４１０は、ハウジング２００の上面２００Ｕ上に位置している。被収容部４２０は、収容部２１０内に保持されるようにして当接部４１０から収容部２１０内に延びている。
【００３８】
図５及び図１５を参照すると、被収容部４２０は、ハウジング２００の固定部２３２を埋めるようにして、当接部４１０から下方に延びており、これにより長壁２３０に沿ってハウジング２００の内部を延びる側部４２２が形成されている。更に、被収容部４２０は、ハウジング２００の底面２００Ｌを下方から覆うようにしてＸＹ平面上に広がっており（図３参照）、これによりＸ方向において側部４２２に挟まれた底部４２４が形成されている。底部４２４は、更に受容部２５２を埋めるようにして、受容部２５２の内部を上方に延びている部分を有している。
【００３９】
本実施の形態によれば、被収容部４２０は、コンタクト３００の第１接点部３４０及び第２接点部３５０を固定部２３２及び受容部２５２から夫々突出させ収容部２１０内に露出させるようにしてコンタクト３００の夫々を覆っている。換言すれば、第１接点部３４０及び第２接点部３５０の周辺を含めてコンタクト３００の大部分が、シール部材４００によって覆われている。但し、本実施の形態によるシール部材４００は弾性変形し易い柔らかい材料から形成されている。このため、コンタクト３００の第１接点部３４０は、Ｘ方向に容易に弾性変形することができる。
【００４０】
図３及び図１４を参照すると、被収容部４２０の底部４２４は、ＳＭＴ部３１０を除いてコンタクト３００全体を隠すようにして、底面２００ＬのＹ方向における中間部分を覆っている。換言すれば、コネクタ１０を底面２００Ｌ側から見た場合に、被収容部４２０は、コンタクト３００のうち収容部２１０内に位置する部位を隠すようにして収容部２１０内及び底面２００Ｌ上に設けられている。更に、本実施の形態によれば、コネクタ１０を底面２００Ｌ側から見た場合に、被収容部４２０は、収容部２１０を隠すようにして収容部２１０内及び底面２００Ｌ上に設けられている。
【００４１】
図２及び図１３から理解されるように、シール部材４００が形成された後のコネクタ１０のＸＹ平面におけるサイズは、シール部材４００が形成される前のサイズと同一である。また、図４、図５及び図１５から理解されるように、シール部材４００が形成された後のコネクタ１０の高さ（即ち、Ｚ方向におけるサイズ）は、シール部材４００が形成される前の高さと同一である。即ち、本実施の形態によれば、コネクタ１０のＸＹ平面及びＺ方向におけるサイズを大きくすることなくシール部材４００を備えることができる。即ち、基板８０（図１８参照）においてコネクタ１０が搭載される部位の面積（即ち、実装面積）を大きくすることなくコネクタ１０を防水保護することができる。
【００４２】
図３及び図１８から理解されるように、以上のように構成されたコネクタ１０が基板８０の上面８０Ｕに搭載された際、シール部材４００の被収容部４２０が、コネクタ１０と基板８０との間を塞ぎ、これによりコネクタ１０は防水保護される。また、コネクタ１０を基板８０に搭載したとき、被収容部４２０の下端（即ち、−Ｚ側の端）は、僅かな間隔をあけて上面８０Ｕの上方に位置する。従って、コンタクト３００のＳＭＴ部３１０は、コネクタ１０を下方に押圧しなくても、上面８０Ｕと接触する。このため、ＳＭＴ部３１０を比較的容易に上面８０Ｕに固定する（例えば、半田付けする）ことができる。
【００４３】
但し、コネクタ１０を基板８０に搭載したとき、被収容部４２０の下端が上面８０Ｕと接触するように構成することもできる。換言すれば、コネクタ１０を基板８０に搭載したとき、ＳＭＴ部３１０が上面８０Ｕと間隔をあけて上方に位置するように構成することもできる。この場合、被収容部４２０の底部４２４（図３参照）のうちＸＹ平面において中央部分に位置する部位（即ち、収容部２１０の下方に位置する部位）は形成されていなくてもよい。換言すれば、被収容部４２０は、収容部２１０がＺ方向に沿って底部４２４の下方と部分的に連通するようにして設けられていてもよい。
【００４４】
図１、図１６乃至図１８から理解されるように、以上のように構成されたコネクタ１０及び相手側コネクタ９０が互いに嵌合する際、コネクタ１０の突出部２５０は、相手側コネクタ９０の凹部９１２に収容され、相手側コネクタ９０の凸部９１４は、コネクタ１０の収容部２１０に収容される。このとき、相手側コンタクト９２０のＳＭＴ部９２２は、シール部材４００の当接部４１０に押し当てられて、当接部４１０に包み込まれるようにして当接部４１０の内部に埋没される（図１７及び図１８参照）。また、コンタクト３００の第１接点部３４０は、相手側コンタクト９２０の第１接点部９２４と接触してＸ方向に押圧される。第１接点部９２４によって押圧された第１接点部３４０は、被収容部４２０に埋没されつつ弾性変形する。
【００４５】
図１８から理解されるように、コネクタ１０と相手側コネクタ９０とを完全に嵌合した際に（即ち、嵌合状態において）、コンタクト３００の第１接点部３４０と相手側コンタクト９２０の第１接点部９２４との接触部分は、シール部材４００の被収容部４２０によって防水保護されている。即ち、コネクタ１０は防水保護されている。同様に、コンタクト３００の第２接点部３５０と相手側コンタクト９２０の第２接点部９２６との接触部分も、シール部材４００の被収容部４２０によって防水保護されている。更に、シール部材４００の当接部４１０のＺ方向における位置をコネクタ１０の上端１０Ｕより若干高くすると、嵌合状態において、シール部材４００の当接部４１０は、相手側基板９８０の下面９８０Ｌと密着する。このように構成することで、嵌合状態においてコネクタ１０と相手側基板９８０との間を塞ぐことができる。即ち、コネクタ１０を更に強固に防水保護することができる。
【００４６】
以上の説明から理解されるように、本実施の形態によるシール部材４００の当接部４１０は、相手側コネクタ９０の一部や、相手側コネクタ９０を搭載する（即ち、支持する）相手側基板９８０（即ち、支持部材）に密着するように構成されており、これによりコンタクト３００の第１接点部３４０及び第２接点部３５０と相手側コンタクト９２０の第１接点部９２４及び第２接点部９２６との接触部分を防水保護することができる。従って、本実施の形態によれば、相手側コネクタ９０がシール部材を備えていない場合でも、コネクタ１０を防水保護することができる。但し、相手側コネクタ９０は、シール部材を備えていてもよい。なお、コンタクト３００の第２接点部３５０と相手側コンタクト９２０の第２接点部９２６とは必ずしも必要ではない。換言すれば、コンタクト３００の第１接点部３４０と相手側コンタクト９２０の第１接点部９２４のみが設けられていればよい。
【００４７】
また、本実施の形態によれば、コネクタ１０が基板８０に搭載された後でコネクタ１０と基板８０との間をポッティングやコーティングによって防水保護する必要がない。このため、コネクタ１０や基板８０を、必要に応じて交換したり修理したりすることが容易である。
【００４８】
以上、本発明の実施の形態について具体的に説明してきたが、本発明によるコネクタは上述した実施の形態に限られず、様々に変形することができる。
【００４９】
例えば、シール部材４００の被収容部４２０はコンタクト３００の第１接点部３４０の近傍を覆っていなくてもよい。換言すれば、被収容部４２０は底部４２４を有している限り、受容部２５２の内部を埋めていなくてもよい。
【００５０】
また、以下に記載するように、側部４２２のみによってコネクタ１０の下方を防水保護することも可能である。例えば、コンタクト３００をハウジング２００の上面２００Ｕ側から収容部２１０に圧入するようにハウジング２００を構成することができる。この場合、ハウジング２００の下端部には、ＳＭＴ部３１０を貫通させるための孔を除き、孔を設ける必要がない。従って、側部４２２のみによってハウジング２００の下端部を塞ぐことができる。
【００５１】
また、シール部材４００の当接部４１０は、コネクタ１０及び相手側コネクタ９０の嵌合状態において、相手側基板９８０の下面９８０Ｌ以外の部位又は相手側基板９８０以外の部材と密着してもよい。例えば、相手側コネクタ９０がシール部材を備えている場合、相手側コネクタ９０の一部と密着してもよい。
【００５２】
また、コネクタ１０及び相手側コネクタ９０の形状は、上述した実施の形態に限られない。更に、コネクタ１０及び相手側コネクタ９０は、基板に搭載される基板コネクタでなくてもよい。
【符号の説明】
【００５３】
１０      コネクタ
１０Ｕ    上端
１０Ｌ    下端
２００    ハウジング
２００Ｕ  上面（嵌合面）
２００Ｌ  下面（底面）
２１０    収容部
２２０    外壁部
２３０    長壁
２３２    固定部
２４０    短壁
２５０    突出部
２５２    受容部
２６０    溝部
３００    コンタクト
３１０    ＳＭＴ部
３２０    被固定部
３３０    バネ部
３４０    第１接点部（接点部）
３５０    第２接点部（接点部）
４００    シール部材
４１０    当接部
４２０    被収容部
４２２    側部
４２４    底部
５００    補強部材
５１０    主部
５２０    被保持部
８０      基板
８０Ｕ    上面
９０      相手側コネクタ
９１０    相手側ハウジング
９１２    凹部
９１４    凸部
９２０    相手側コンタクト
９２２    ＳＭＴ部
９２４    第１接点部（接点部）
９２６    第２接点部（接点部）
９８０    相手側基板
９８０Ｌ  下面
【要約】
【課題】嵌合面におけるサイズを大きくすることなくシール部材を備えたコネクタであって、相手側コネクタがシール部材を備えていない場合でもコンタクトの接点部と相手側コンタクトの接点部との接触部分を防水保護できるコネクタを提供すること。
【解決手段】コネクタは、上下方向に沿って相手側コネクタと嵌合可能である。コネクタは、ハウジングと、複数のコンタクトと、シール部材とを備えている。ハウジングは、上下方向における上面と、上面から下方に凹んだ収容部とを有している。コンタクトは、収容部に部分的に収容されるようにして、ハウジングに保持されている。シール部材は、ハウジングの上面上に位置する当接部と、収容部内に保持されるようにして当接部から収容部内に延びる被収容部とを有している。
【選択図】図１【図１】
0005405647.tif 000002
【図２】
0005405647.tif 000003
【図３】
0005405647.tif 000004
【図４】
0005405647.tif 000005
【図５】
0005405647.tif 000006
【図６】
0005405647.tif 000007
【図７】
0005405647.tif 000008
【図８】
0005405647.tif 000009
【図９】
0005405647.tif 000010
【図１０】
0005405647.tif 000011
【図１１】
0005405647.tif 000012
【図１２】
0005405647.tif 000013
【図１３】
0005405647.tif 000014
【図１４】
0005405647.tif 000015
【図１５】
0005405647.tif 000016
【図１６】
0005405647.tif 000017
【図１７】
0005405647.tif 000018
【図１８】
0005405647.tif 000019
【図１９】
0005405647.tif 000020
【図２０】
0005405647.tif 000021